(57)【要約】【課題】ウエットティッシュの取出し性向上を図るベビーカー用バッグの提供を目的とする。【解決手段】バッグ本体１６の前面部１１には、ウエットティッシュ袋８０の開閉蓋８１の開閉が可能な大きさの開口部を設け、上記開口部が形成された前面部１１のバッグ本体１６内側には、ウエットティッシュ袋８０収納部形成用の仕切り部材３２を設け、該仕切り部材３２と開口部周縁の前面部１１とでウエットティッシュ袋収納部を形成し、該ウエットティッシュ袋収納部に収納したウエットティッシュ袋８０の開閉蓋８１を上記開口部から外方に露出し、上記仕切り部材３２を伸縮性部材３２Ａ,３２Ｂにて構成したことを特徴とする。【選択図】図２
2020068872.tif 000002
【特許請求の範囲】
【請求項１】
少なくとも前面部と背面部とを有するバッグ本体と、
上記バッグ本体の左右上部に設けられ、ベビーカーのハンドルフレームに対して取付けられる左右一対のストラップと、を備えたベビーカー用バッグであって、
上記バッグ本体の前面部には、ウエットティッシュ袋の開閉蓋の開閉が可能な大きさの開口部を設け、上記開口部が形成された前面部のバッグ本体内側には、ウエットティッシュ袋収納部形成用の仕切り部材を設け、
該仕切り部材と開口部周縁の前面部とでウエットティッシュ袋収納部を形成し、該ウエットティッシュ袋収納部に収納したウエットティッシュ袋の開閉蓋を上記開口部から外方に露出し、
上記仕切り部材を伸縮性部材にて構成した
ベビーカー用バッグ。
【請求項２】
上記バッグ本体の少なくとも開口部の口縁は非伸縮性部材により形成された
請求項１に記載のベビーカー用バッグ。
【請求項３】
上記開口部口縁の全周には、前面部の表面側から裏面側に跨がる補強部材が設けられた
請求項２に記載のベビーカー用バッグ。
【発明の詳細な説明】
【技術分野】
【０００１】
この発明は、少なくとも前面部と背面部とを有するバッグ本体と、上記バッグ本体の左右上部に設けられ、ベビーカーのハンドルフレームに対して取付けられる左右一対のストラップと、を備えたベビーカー用バッグに関する。
【背景技術】
【０００２】
一般に、特許文献１で開示されたようなベビーカー用バッグが知られている。  
すなわち、バッグ本体に、該バッグ本体の上端開口部を開閉する蓋部が設けられると共に、該バッグ本体の上部には、ベビーカーのハンドルフレームに対して取付けられるループ状の紐部を備えており、該紐部をベビーカーのハンドルフレームに掛け回した後に、紐部側のスナップをバッグ本体側のスナップ（ｓｎａｐ、凹凸を合わせて止める一対の留め金具）に係止することで、バッグ本体をベビーカーのハンドルフレームに取付けるよう構成したベビーカー用バッグである。
【０００３】
上述のバッグ本体の内部にウエットティッシュ袋を収納し、必要に応じてウエットティッシュを使用する際には、バッグ本体の蓋を開けた後に、バッグ本体からウエットティッシュ袋を取出し、該ウエットティッシュ袋の開閉蓋を開放して、ウエットティッシュを引っ張って取出すことになるが、ウエットティッシュの取出し性向上の観点で改善の余地があった。
【先行技術文献】
【特許文献】
【０００４】
【特許文献１】特開平１１−２９０１１０号公報
【発明の概要】
【発明が解決しようとする課題】
【０００５】
そこで、この発明は、ウエットティッシュの取出し性向上を図ることができるベビーカー用バッグの提供を目的とする。
【課題を解決するための手段】
【０００６】
この発明によるベビーカー用バッグは、少なくとも前面部と背面部とを有するバッグ本体と、上記バッグ本体の左右上部に設けられ、ベビーカーのハンドルフレームに対して取付けられる左右一対のストラップと、を備えたベビーカー用バッグであって、上記バッグ本体の前面部には、ウエットティッシュ袋の開閉蓋の開閉が可能な大きさの開口部を設け、上記開口部が形成された前面部のバッグ本体内側には、ウエットティッシュ袋収納部形成用の仕切り部材を設け、該仕切り部材と開口部周縁の前面部とでウエットティッシュ袋収納部を形成し、該ウエットティッシュ袋収納部に収納したウエットティッシュ袋の開閉蓋を上記開口部から外方に露出し、上記仕切り部材を伸縮性部材にて構成したものである。
【０００７】
上述の伸縮性部材は、メッシュ部材とゴム帯とで構成してもよい。  
上記構成によれば、ウエットティッシュ袋の開閉蓋が上記開口部から外方に露出する構造と成したので、当該開口部から露出させたウエットティッシュ袋の開閉蓋を開放すると、袋内部のウエットティッシュを一枚づつ容易に取出すことができる。
【０００８】
しかも、上記仕切り部材を伸縮性部材にて構成したので、ウエットティッシュの使用により袋厚が縮小しても、伸縮性部材から成る上記仕切り部材で、ウエットティッシュ袋を前面部側に押圧保持して、ウエットティッシュの取出し性向上を図ることができる。
【０００９】
この発明の一実施態様においては、上記バッグ本体の少なくとも開口部の口縁は非伸縮性部材により形成されたものである。  
上記構成によれば、上述の開口部の口縁を非伸縮性部材にて形成したので、ウエットティッシュを引っ張って取出す時の外力が、ウエットティッシュ袋を介して開口部の口縁に付加されても、開口部の口縁が伸縮しないので、ウエットティッシュ袋を適切に保持して、当該ウエットティッシュの取出し性を維持することができる。
【００１０】
この発明の一実施態様においては、上記開口部口縁の全周には、前面部の表面側から裏面側に跨がる補強部材が設けられたものである。  
上述の補強部材は、バイアステープ（ｂｉａｓ  tａｐｅ）で構成してもよい。  
上記構成によれば、上述の補強部材で開口部の口縁をその全周にわたって補強したので、ウエットティッシュ袋の適切な保持性と、ウエットティッシュの取出し性との向上を図ることができる。
【発明の効果】
【００１１】
この発明によれば、ウエットティッシュの取出し性向上を図ることができる。
【図面の簡単な説明】
【００１２】
【図１】本発明のベビーカー用バッグをベビーカーに取付けた状態で示す斜視図
【図２】ベビーカー用バッグの斜視図
【図３】ベビーカー用バッグの正面図
【図４】図３のＡ−Ａ線矢視断面図
【図５】図３のＢ−Ｂ線矢視断面図
【図６】図５の矢印Ｃ方向から見た状態で示す説明図
【図７】（ａ）は雌側バックルと雄側バックルとを分解した状態で示す説明図、（ｂ）は雌側バックルと雄側バックルとを係合した状態で示す説明図
【図８】図３からウエットティッシュ袋を取外した状態で示すベビーカー用バッグの正面図
【図９】ベビーカー用バッグの背面図
【図１０】バッグ本体とポーチとを分解して示す背面図
【図１１】ベビーカー用バッグをハンドバッグとして使用する際の説明図
【図１２】ベビーカー用バッグをショルダバッグとして使用する際の説明図
【発明を実施するための形態】
【００１３】
ウエットティッシュの取出し性向上を図るという目的を、少なくとも前面部と背面部とを有するバッグ本体と、上記バッグ本体の左右上部に設けられ、ベビーカーのハンドルフレームに対して取付けられる左右一対のストラップと、を備えたベビーカー用バッグであって、上記バッグ本体の前面部には、ウエットティッシュ袋の開閉蓋の開閉が可能な大きさの開口部を設け、上記開口部が形成された前面部のバッグ本体内側には、ウエットティッシュ袋収納部形成用の仕切り部材を設け、該仕切り部材と開口部周縁の前面部とでウエットティッシュ袋収納部を形成し、該ウエットティッシュ袋収納部に収納したウエットティッシュ袋の開閉蓋を上記開口部から外方に露出し、上記仕切り部材を伸縮性部材にて構成するという構造にて実現した。
【００１４】
（実施例）
この発明の一実施例を以下図面に基づいて詳述する。  
図面はベビーカー用バッグを示し、図１はベビーカー用バッグをベビーカーに取付けた状態で示す斜視図、図２はベビーカー用バッグの斜視図、図３はベビーカー用バッグの正面図、図４は図３のＡ−Ａ線矢視断面図（但し、バッグ本体の背面部に設けられるポーチの図示を省略している）、図５は図３のＢ−Ｂ線に沿う要部の矢視断面図、図６は図５の矢印Ｃ方向から見た状態で示す説明図（但し、ウエットティッシュ袋の図示を省略している）、図７の（ａ）は雌側バックルと雄側バックルとを分解した状態で示す説明図、図７の（ｂ）は雌側バックルと雄側バックルとを係合した状態で示す説明図である。
【００１５】
ベビーカー用バッグの説明に先立って、まずベビーカーの構成について簡単に説明する。  
図１に示すように、ベビーカー１は、前輪２を回転自在に支持する左右一対の前輪フレーム３と、後輪４を回転自在に支持する左右一対の後輪フレーム５と、該後輪フレーム５の上部に設けられ上端部にハンドル６を有する左右一対のハンドルフレーム７と、ハンドルフレーム７と後輪フレーム５との間に背面視でＸ字状に組合せて張架されたレインフォースメント８と、図示しない幌フレームを介して張設された幌体９と、を備えている。  
なお、図１で示したベビーカー１の構造は一例であって、この構造に限定されるものではない。
【００１６】
本実施例のベビーカー用バッグ１０は、図１に示すように、ベビーカー１の左右のハンドルフレーム７，７に取付けられるもので、その際、上記レインフォースメント８の上部がベビーカー用バッグ１０のずり落ち防止機能を発揮する。
【００１７】
図２、図３、図４に示すように、上記ベビーカー用バッグ１０は、前面部１１と背面部１２と左側面部１３と右側面部１４と底面部１５とを有するバッグ本体１６にて上方が開放する構造に形成されている。
【００１８】
バッグ本体１６を構成する前面部１１、背面部１２、左側面部１３、右側面部１４および底面部１５は、図４に示すように、非伸縮性部材であるデニム生地等の表面部材１７と、該表面部材１７の内側に位置する裏地１８とで形成されている。
【００１９】
図４に示すように、背面部１２内側の長手方向中間部には、内ポケット１９形成用の仕切り部材２０を設けている。該仕切り部材２０はメッシュ部材にて形成している。この仕切り部材２０の上部には、図２に示すように、ファスナ２１（ジッパと同意）を備えたファスナテープ２２が取付けられており、ファスナテープ２２の上辺部と仕切り部材２０の左右の側辺部および底辺部とを、縫糸を用いて背面部１２に縫合固定することで、背面部１２と仕切り部材２０との間には、ファスナ２１により開閉可能な内ポケット１９が形成されている。
【００２０】
図４に示すように、左側面部１３の内方には、左側のサブ収納部２３形成用の仕切り部材２４を設け、この仕切り部材２４の上端部をバイアステープ２５（ｂｉａｓ  ｔａｐｅ、図２参照）で補強している。バイアステープ２５を含んで仕切り部材２４の前辺部と後辺部とを、縫糸を用いて前面部１１と背面部１２とに縫合固定することで、左側面部１３と、前面部１１の左側部と、背面部１２の左側部と、底面部１５の左側部と、仕切り部材２４とで囲繞されて上下方向に延びる左側のサブ収納部２３が形成されている。
【００２１】
同様に、図４に示すように、右側面部１４の内方には、右側のサブ収納部２６形成用の仕切り部材２７を設け、この仕切り部材２７の上端部をバイアステープ２８（図２参照）で補強している。バイアステープ２８を含んで仕切り部材２７の前辺部と後辺部とを、縫糸を用いて前面部１１と背面部１２とに縫合固定することで、右側面部１４と、前面部１１の右側部と、背面部１２の右側部と、底面部１５の右側部と、仕切り部材２７とで囲繞されて上下方向に延びる右側のサブ収納部２６が形成されている。
【００２２】
図４、図５に示すように、バッグ本体１６の前面部１１中央には、ウエットティッシュ袋８０の開閉蓋８１の開閉が可能な大きさの横長方形状の開口部２９を設け、この開口部２９の口縁の全周を、前面部１１の表面部材１７の表面側から裏地１８の裏面側に跨がる補強部材としてのバイアステープ３０で覆い、開口部２９の口縁を補強すると共に、バイアステープ３０で囲繞された部位には開口３１が形成されている。
【００２３】
なお、上記ウエットティッシュ袋８０は、合成樹脂製のケース８２と、このケース８２の正面側開口を開閉可能に覆う上述の開閉蓋８１と、軟質部材製の袋体８３と、を備えており、ケース８２および袋体８３の内部には、不織布等で形成された多数枚のウエットティッシュ（図示せず）が収納されている。
【００２４】
また上記開閉蓋８１は、図５に示すように、その基端が樹脂ヒンジ８４を介してケース８２の下側開口端部に一体連結されており、開閉蓋８１の遊端（上端）には、ケース８２の係止凹部８５に対して係脱可能な係止凸部８６が一体形成されていて、係止凹部８５による係止凸部８６の係合を解除すると、開閉蓋８１は、図５に仮想線で示すように開放されて、内部のウエットティッシュを取出すことができるよう構成されている。
【００２５】
図４、図５に示すように、上記開口部２９が形成された前面部１１のバッグ本体１６の内側には、ウエットティッシュ袋８０収納部形成用の仕切り部材３２を設けている。そして、該仕切り部材３２と開口部２９周縁の前面部１１とでウエットティッシュ袋収納部３３を形成している。
【００２６】
この実施例では、上記仕切り部材３２は、図４〜図６に示すように、伸縮性部材としてのメッシュ部材３２Ａと、このメッシュ部材３２Ａの上端に一体に設けられる断面逆Ｕ字状のゴム帯３２Ｂ（伸縮性部材）とで形成している。
【００２７】
図４、図６に示すように、ゴム帯３２Ｂの左端部を含んで上述のメッシュ部材３２Ａの左端部は、仕切り部材２４の前端部と共に、バイアステープ３４で覆われており、メッシュ部材３２Ａの左端部、仕切り部材２４の前端部、バイアステープ３４の三者が、縫糸を用いて前面部１１に縫合固定されている。
【００２８】
同様に、図４、図６に示すように、ゴム帯３２Ｂの右端部を含んで上述のメッシュ部材３２Ａの右端部は、仕切り部材２７の前端部と共に、バイアステープ３５で覆われており、メッシュ部材３２Ａの右端部、仕切り部材２７の前端部、バイアステープ３５の三者が、縫糸を用いて前面部１１に縫合固定されている。
【００２９】
さらに、図５に示すように、上述のメッシュ部材３２Ａの下端部は、対応位置の裏地１８と共に、バイアステープ３６で覆われると共に、これらメッシュ部材３２Ａ、裏地１８、バイアステープ３６が縫糸で縫合固定されている。
【００３０】
このように、上記メッシュ部材３２Ａの左端部、右端部、下端部のそれぞれを縫合固定することで、仕切り部材３２と開口部２９周縁の前面部１１とで、上方が開放し、かつ有底構造のウエットティッシュ袋収納部３３を形成したものである。
【００３１】
しかも、図４、図５に示すように、ウエットティッシュ袋収納部３３に収納したウエットティッシュ袋８０の開閉蓋８１を上述の開口部２９、詳しくは、開口３１から外方に露出させている。これにより、開閉蓋８１を開放して、袋内部のウエットティッシュを一枚づつ容易に取出すと共に、ウエットティッシュの使用によりウエットティッシュ袋８０の袋厚が縮小すると、伸縮性部材（メッシュ部材３２Ａ、ゴム帯３２Ｂ参照）から成る仕切り部材３２で、ウエットティッシュ袋８０を前面部１１側に押圧保持して、袋厚の縮小変化に拘らず、ウエットティッシュの取出し性向上を図るよう構成したものである。
【００３２】
図４に示すように、内ポケット１９形成用の仕切り部材２０の左端部と、左側のサブ収納部２３形成用の仕切り部材２４の後端部とは、バイアステープ３７で一体的に覆われており、これら三者が縫糸を用いてバッグ本体１６の背面部１２に縫合固定されている。
【００３３】
同様に、同図に示すように、内ポケット１９形成用の仕切り部材２０の右端部と、右側のサブ収納部２６形成用の仕切り部材２７の後端部とは、バイアステープ３８で一体的に覆われており、これら三者が縫糸を用いてバッグ本体１６の背面部１２に縫合固定されている。  
また、図４に示すように、上述の各仕切り部材２０，２４，２７，３２と底面部１５とで囲繞され、上方が開放し、かつ有底構造のメイン収納部３９が形成されている。
【００３４】
図２、図５、図６に示すように、前面部１１、背面部１２、左側面部１３、右側面部１４の各上端部には、表面部材１７と裏地１８とを一体的に覆うバイアステープ４０が連続して設けられ、縫糸を用いて上記表面部材１７と裏地１８とバイアステープ４０とが縫合固定されている。
【００３５】
図５、図６に示すように、上述のメッシュ部材３２Ａの上端中央の背面には、断面逆Ｕ字状のゴム帯３２Ｂ内に介設された面ファスナ４１が縫合固定されている。また、同図に示すように、前面部１１の横方向中央位置におけるバイアステープ４０内には、垂下帯４２が介設されている。この垂下帯４２はウエットティッシュ袋収納部３３の上方を経由してメッシュ部材３２Ａの背面側における上下方向中間部まで下方に延びるもので、該垂下帯４２の遊端側つまり下部側の表面には面ファスナ４３が縫合固定されている。
【００３６】
メッシュ部材３２Ａ上端中央の面ファスナ４１と、垂下帯４２下部側の面ファスナ４３と、を当接係合することで、メッシュ部材３２Ａを含む仕切り部材３２のバッグ本体１６内方への不所望な移動を防止すべく構成している。すなわち、上述の各面ファスナ４１,４３と垂下帯４２とで、ウエットティッシュ袋８０の後退規制部４４を形成したものである。  
ここで、上述の面ファスナ４１，４３の何れか一方は、細かいループ状のものを密生させたものであり、何れか他方は細かいフック状のものを密生させたものである。
【００３７】
ところで、図２、図３に示すように、バッグ本体１６の左側面部１３外面には、バックル取付けストラップ４５と短ストラップ４６との基部（下部）を、縫糸を用いて縫合固定して、縫合部４７を形成している。
【００３８】
上述のバックル取付けストラップ４５の上端ループ部には雌側バックル４８を取付けると共に、短ストラップ４６の長手方向中間部には雄側バックル４９を、当該短ストラップ４６に沿って位置調整可能に取付けており、短ストラップ４６の先端部には、折返し縫合により抜止め部５０を形成している。  
同様に、図２、図３に示すように、バッグ本体１６の右側面部１４外面には、バックル取付けストラップ５１と短ストラップ５２との基部（下部）を、縫糸を用いて縫合固定して、縫合部５３を形成している。
【００３９】
上述のバックル取付けストラップ５１の上端ループ部には雄側バックル４９を取付けると共に、短ストラップ５２の長手方向中間部には雌側バックル４８を、当該短ストラップ５２に沿って位置調整可能に取付けており、短ストラップ５２の先端部には、折返し縫合により抜止め部５４を形成している。
【００４０】
つまり、バッグ本体１６の左側面部１３の外面には、雌側バックル４８を設ける一方で、バッグ本体１６の右側面部１４の外面には、雄側バックル４９を設け、さらに、左側の短ストラップ４６の中間部には雄側バックル４９を設ける一方で、右側の短ストラップ５２の中間部には雌側バックル４８を設けたものである。  
図３に示すバックル係合状態から、図１に示すように、ベビーカー１のハンドルフレーム７に対してベビーカー用バッグ１０を取付けるには、図３の図示左側の雄側バックル４９を取外した後に、短ストラップ４６をベビーカー１の左側のハンドルフレーム７に掛け回し、一旦取外した雄側バックル４９をバッグ本体１６の左側上部に設けられた雌側バックル４８に係合すると共に、図３の図示右側の雌側バックル４８を取付した後に、短ストラップ５２をベビーカー１の右側のハンドルフレーム７に掛け回し、一旦取外した雌側バックル４８をバッグ本体１６の右側上部に設けた雄側バックル４９に係合すると、図１に示すように、ベビーカー１のハンドルフレーム７に対してベビーカー用バッグ１０を取付けることができる。
【００４１】
図７はバッグ本体１６の右側面部１４における各バックル４８，４９の構造を示し、図７の（ａ）は分解状態の説明図、図７の（ｂ）は係合状態の説明図である。  
雌側バックル４８（ｆｅｍａｌｅ  ｂｕｃｋｌｅ）、雄側バックル４９（ｍａｌｅ  ｂｕｃｋｌｅ）は何れも合成樹脂にて形成されている。
【００４２】
雄側バックル４９は、略方形枠状の枠部４９ａと、枠部４９ａに設けられた横桟４９ｂと、一対の係入突起４９ｃと、枠部４９ａと横桟４９ｂとの間に形成されたストラップ挿通空間４９ｄ，４９eとを備えている。
【００４３】
雌側バックル４８は、略方形枠状の枠部４８ａと、枠部４８ａに設けられた横桟４８ｂと、一対の係入突起４９ｃをその内部に挿入し得る係入空間４８ｃを備えた筒部４８ｄと、筒部４８ｄの両外側に形成され上記係入突起４９ｃを係止する一対の係止部４８ｅ，４８ｅと、枠部４８ａと横桟４８ｂとの間に形成されたストラップ挿通空間４８ｆ，４８ｇとを有している。
【００４４】
図７の（ａ）に示す両バックル４８，４９の分解状態から、両バックル４８，４９を近接させ、雄側バックル４９の一対の係入突起４９ｃを雌側バックル４８の係入空間４８ｃ内に係入すると、係入突起４９ｃが雌側バックル４８の係止部４８ｅで係止され、図７の（ｂ）に示す係合状態となる。
【００４５】
図７の（ｂ）に示す両バックル４８，４９の係合状態から、一対の係入突起４９ｃを係入空間４８ｃ内方に押圧すると、係止部４８ｅによる係入突起４９ｃの係止が解除されるので、両バックル４８，４９を図７の（ａ）に示す分解状態に切り離すことができる。
【００４６】
図９はベビーカー用バッグ１０の背面図、図１０はバッグ本体１６とポーチ７０とを分解して示す背面図である。  
図９、図１０に示すように、ベビーカー用バッグ１０の背面部１２中央には、ファスナ５５を介してポーチ７０を着脱可能に取付けている。
【００４７】
上述のファスナ５５は、バッグ本体１６の背面部１２においてバイアステープ４０内部に一体に縫合固定されたファスナテープ５６と、このファスナテープ５６の下辺に設けられた一方の務歯５７と、ポーチ７０の上辺に縫合固定されたファスナテープ５８と、該ファスナテープ５８の上辺に設けられた地方の務歯５９と、ファスナ５５の務歯５７，５９を開閉操作するスライダ６０と、を備えている。  
また、上述のポーチ７０は、その内部に小物類を出し入れ可能に収納し得る背面視方形の袋形状に形成されており、ポーチ本体７１の上部にはファスナ７２が設けられている。
【００４８】
図９に示すように、バッグ本体１６の背面部１２にポーチ７０が取付けられた状態からファスナ５５のスライダ６０を開放方向に操作すると、上下の務歯５７，５９の噛合が解除されるので、図１０に示すようにポーチ７０をバッグ本体１６から分離することができる。
【００４９】
図１０に示す分離状態からポーチ７０をバッグ本体１６の背面部１２に取付けるには、ポーチ７０側の務歯５９の基端部材７３（図１０参照）をバッグ本体１６側の務歯５７の基端部材７４（図９参照）内に挿入して、スライダ６０を閉鎖方向に操作すると、上下の務歯５７，５９が噛合されて、図９に示すように、バッグ本体１６の背面部１２側にポーチ７０を取付けることができる。  
このため、バッグ本体１６をベビーカー１のハンドルフレーム７に取付けた状態下において、ポーチ７０のみを取外して、携行することができ、利便性の向上を図ることができる。
【００５０】
図８は、図３からウエットティッシュ袋８０を取外した状態で示すベビーカー用バッグ１０の正面図、図１１はベビーカー用バッグ１０をハンドバッグとして使用する際の説明図、図１２はベビーカー用バッグ１０をショルダバッグとして使用する際の説明図である。
【００５１】
図８は、バッグ本体１６の左側においてバックル取付けストラップ４５側の雌側バックル４８に対して、短ストラップ４６側の雄側バックル４９を係合させ、短ストラップ４６をループ状に成すと共に、バッグ本体１６の右側においてバックル取付けストラップ５１側の雄側バックル４９に対して、短ストラップ５２側の雌側バックル４８を係合させ、短ストラップ５２をループ状に成した状態を示している。
【００５２】
図８に示す状態から、バッグ本体１６左側の雄側バックル４９を取外すと共に、バッグ本体１６右側の雌側バックル４８を取外し、取外した両バックル４９，４８を互い係合すると、図１１に示すように、左右の短ストラップ４６，５２が各バックル４９，４８を介して連結されるので、これらの各短ストラップ４６，５２を手提げベルトと成して、ベビーカー用バッグ１０をハンドバッグとして使用することができる。  
ベビーカー用バッグ１０をショルダバッグとして使用する際には、上述の短ストラップ４６，５２とは別に、両端に雌側バックル４８および雄側バックル４９を備えた長尺ストラップ６１を設ける。
【００５３】
そして、図１１に示す状態から、左右の各短ストラップ４６，５２遊端側の雄側バックル４９と雌側バックル４８とを分離させた後に、左側の短ストラップ４６の雄側バックル４９には、長尺ストラップ６１の雌側バックル４８を係合すると共に、右側の短ストラップ５２の雌側バックル４８には、長尺ストラップ６１の雄側バックル４９を係合すると、左側の短ストラップ４６と、長尺ストラップ６１と、右側の短ストラップ５２とが、各バックル４９，４８を介して連結されるので、これらの各ストラップ４６，６１，５２をショルダベルトと成して、ベビーカー用バッグ１０をショルダバッグとして使用することができる。
【００５４】
すなわち、ベビーカー用バッグ１０を、図１１に示すハンドバッグとして使用することもでき、また、図１２に示すショルダバッグとして使用することもできて、汎用性の拡大を図ることができる。  
図示実施例においては、バッグ本体１６の左側のバックル取付けストラップ４５に雌側バックル４８を取付け、バッグ本体１６の右側のバックル取付けストラップ５１に雄側バックル４９を取付けたが、各バックル４８，４９の取付け位置は、この左右逆の構成を採用し、他のバックル４８，４９については、係合離脱が可能な雌側または雄側のバックルを選定して使用すべく構成してもよい。
【００５５】
このように、上記実施例のベビーカー用バッグ１０は、少なくとも前面部１１と背面部１２とを有するバッグ本体１６と、上記バッグ本体１６の左右上部に設けられ、ベビーカー１のハンドルフレーム７に対して取付けられる左右一対のストラップ（短ストラップ４６，５２参照）と、を備えたベビーカー用バッグであって、上記バッグ本体１６の前面部１１には、ウエットティッシュ袋８０の開閉蓋８１の開閉が可能な大きさの開口部２９を設け、上記開口部２９が形成された前面部１１のバッグ本体１６内側には、ウエットティッシュ袋８０収納部形成用の仕切り部材３２を設け、該仕切り部材３２と開口部２９周縁の前面部１１とでウエットティッシュ袋収納部３３を形成し、該ウエットティッシュ袋収納部３３に収納したウエットティッシュ袋８０の開閉蓋８１を上記開口部２９から外方に露出し、上記仕切り部材３２を伸縮性部材（メッシュ部材３２Ａ、ゴム帯３２Ｂ参照）にて構成したものである（図１〜図６参照）。
【００５６】
この構成によれば、ウエットティッシュ袋８０の開閉蓋８１が上記開口部２９から外方に露出する構造と成したので、当該開口部２９から露出させたウエットティッシュ袋８０の開閉蓋８１を開放すると、袋８０内部のウエットティッシュを一枚づつ容易に取出すことができる。
【００５７】
しかも、上記仕切り部材３２を伸縮性部材（メッシュ部材３２Ａ、ゴム帯３２Ｂ参照）にて構成したので、ウエットティッシュの使用により袋厚が縮小しても、伸縮性部材から成る上記仕切り部材３２で、ウエットティッシュ袋８０を前面部１１側に押圧保持して、ウエットティッシュの取出し性向上を図ることができる。
【００５８】
また、この発明の一実施形態においては、上記バッグ本体１６の少なくとも開口部２９の口縁は非伸縮性部材（デニム生地等参照）により形成されたものである（図４、図５参照）。  
この構成によれば、上述の開口部２９の口縁を非伸縮性部材にて形成したので、ウエットティッシュを引っ張って取出す時の外力が、ウエットティッシュ袋８０を介して開口部２９の口縁に付加されても、開口部２９の口縁が伸縮しないので、ウエットティッシュ袋８０を適切に保持して、当該ウエットティッシュの取出し性を維持することができる。
【００５９】
さらに、この発明の一実施形態においては、上記開口部２９口縁の全周には、前面部１１の表面側から裏面側に跨がる補強部材（バイアステープ３０参照）が設けられたものである（図２〜図５参照）。  
この構成によれば、上述の補強部材（バイアステープ３０）で開口部２９の口縁をその全周にわたって補強したので、ウエットティッシュ袋８０の適切な保持性と、ウエットティッシュの取出し性との向上を図ることができる。
【００６０】
この発明の構成と、上述の実施例との対応において、
この発明のストラップは、実施例の短ストラップ４６，５２に対応し、
以下同様に、
伸縮性部材は、メッシュ部材３２Ａ、ゴム帯３２Ｂに対応し、
非伸縮性部材は、デニム生地に対応し、
補強部材は、バイアステープ３０に対応するも、
この発明は、上述の実施例の構成のみに限定されるものではない。
【産業上の利用可能性】
【００６１】
以上説明したように、本発明は、少なくとも前面部と背面部とを有するバッグ本体と、上記バッグ本体の左右上部に設けられ、ベビーカーのハンドルフレームに対して取付けられる左右一対のストラップと、を備えたベビーカー用バッグについて有用である。
【符号の説明】
【００６２】
１…ベビーカー
７…ハンドルフレーム
１０…ベビーカー用バッグ
１１…前面部
１２…背面部
１６…バッグ本体
２９…開口部
３０…バイアステープ（補強部材）
３２…仕切り部材
３２Ａ…メッシュ部材（伸縮性部材）
３２Ｂ…ゴム帯（伸縮性部材）
３３…ウエットティッシュ袋収納部
４６，５２…短ストラップ（ストラップ）
８０…ウエットティッシュ袋
８１…開閉蓋
【図１】
2020068872.tif 000003
【図２】
2020068872.tif 000004
【図３】
2020068872.tif 000005
【図４】
2020068872.tif 000006
【図５】
2020068872.tif 000007
【図６】
2020068872.tif 000008
【図７】
2020068872.tif 000009
【図８】
2020068872.tif 000010
【図９】
2020068872.tif 000011
【図１０】
2020068872.tif 000012
【図１１】
2020068872.tif 000013
【図１２】
2020068872.tif 000014